(57)【要約】【課題】  交換レンズ取り付け基準面に対して、光学系およびそれを保持するレンズ保持枠が、交換レンズ側に突出する中間アダプタを、該中間アダプタ非対応交換レンズに対して、誤装着を防止する。【解決手段】  交換レンズの撮像面側カバー部材の開口形状を、対角長が、該中間アダプタの突出部の直径よりも長く、かつ長辺長または短辺長が、該中間アダプタの突出部の直径よりも短い略矩形形状とした【選択図】  図３
2007025350.tif 000002
【特許請求の範囲】
【請求項１】
ズーミングまたはフォーカシング操作により、最も撮像面寄りのレンズ群が光軸方向に進退するレンズ鏡筒と、
該レンズ鏡筒とカメラボディの間に装着され、該レンズ鏡筒取り付け基準面に対して、被写体寄りに突出している光学系を有する中間アダプタ、とを有するカメラシステムにおいて、
該レンズ鏡筒の撮像面側カバー部材の開口形状は略矩形形状であり、その対角長は、該中間アダプタの突出部の直径よりも長く、且つ該略矩形形状の長辺または短辺の長さは、該突出部の直径よりも短いことを特徴とするレンズ鏡筒。
【請求項２】
該略矩形形状は、取り付けられるカメラボディの最大撮像素子サイズに最適化されており、該撮像素子に入射する有害光の遮光を兼ねていることを特徴とする請求項１に記載のレンズ鏡筒。
【発明の詳細な説明】
【技術分野】
【０００１】
本発明は、レンズ鏡筒とカメラボディの間に装着される、レンズ鏡筒取り付け基準面に対して、被写体寄りに突出している光学系を有する中間アダプタ、を有するカメラシステムの、交換レンズ鏡筒に関し、特にデジタルカメラ、ビデオカメラ、フィルム用カメラ等でレンズ交換が可能なものに対して好適なものである。
【背景技術】
【０００２】
一眼レフカメラ等の交換レンズ式のカメラシステムのアクセサリとして、カメラボディと交換レンズの間に介在させることにより、交換レンズのバックフォーカスを延長して、至近距離撮影を可能としたり、あるいは取り付けられる交換レンズの像倍率を拡大したりする機能を有する中間アダプタと呼ばれるものが知られており、前者は接写リングやエクステンションチューブ、後者はテレコンバータやエクステンダと呼ばれている。このテレコンバータは前述した機能を実現する為に光学系を有しており、図２のように、テレコンバータの交換レンズ取り付け基準面に対して、光学系およびそれを保持するレンズ保持枠が、交換レンズ側にφＡの直径でＣだけ突出するものも存在する。
【０００３】
一方、上述したカメラシステムの交換レンズとして、テレコンバータに対応した交換レンズは、上述した突出部の形状を考慮して、取り付け可能なように、バックフォーカスが長く、後端部のカバー部材の開口径が大きめになっている。またテレコンバータに非対応のレンズに関しては、バックフォーカスが短いものが多く、また後端部のカバー部材の必要開口径が小さいために、取り付けが不可能となっており、誤って装着しようとした場合でも、カバー部材とテレコンバータ側レンズ保持枠が先に当接することにより、光学系に直接触れることが無く、キズ等がついたり破損したりするおそれも無い。
【０００４】
また特許文献１において、マウントは共通であるが、バックフォーカスが一定以下の交換レンズの装着を制限するカメラシステムおよびカメラボディ、交換レンズおよび中間アダプタが開示されている。このカメラシステムでは、従来のカメラボディまたは中間アダプタのマウント内部にフランジ部を設け、このフランジ部にバックフォーカスの短い交換レンズに設けられた固定突起が当接することで、該交換レンズの装着が制限されるようにしている。
【特許文献１】特許公報3210586号  図１７等
【発明の開示】
【発明が解決しようとする課題】
【０００５】
しかしながら、近年３５ｍｍフィルムおよびそれと同等サイズの撮像素子を有するカメラシステムにおいて、ズームレンズがよりハイスペック化しており、短焦点距離側で例えば２８ｍｍ相当の広い画角を維持しつつ、長焦点距離側で３００ｍｍ相当の画角のものや、１００ｍｍ相当の焦点距離でも開放Ｆ値が例えばＦ４程度の比較的明るいものも存在する。このような交換レンズの場合、前述したカバー部材の開口径が大きくなるので、光線有効径を考慮した単純な円形状の場合には、テレコンバータの突出部がカバー部材の開口径を通過し、テレコンバータ側レンズ保持枠の先端が、交換レンズ側の光学系に直接干渉してしまうおそれがある。この場合には、実質テレコンバータの取り付けが不可能であるので、使用者がテレコンバータを取り付け可能であるかどうか、取り付け前に判断しやすいが、例えばズーム操作等によって、交換レンズの最も撮像面側にあるレンズ群が大きく進退するような場合には、最も撮像面側にあるレンズ群が最も被写体側に寄ったときはテレコンバータが装着可能となってしまう場合がある。このような状態で、不用意にズーム操作等をおこなうと、テレコンバータ側レンズ保持枠の先端が、交換レンズ側の光学系に直接干渉してしまい、キズ等がついたり破損したりするおそれがあるため、装着を制限する必要がある。
【０００６】
また、特許文献１にて提案のカメラシステムでは、後発のバックフォーカスが一定以下の交換レンズと、先発の中間アダプタの装着を制限することが可能であるが、カメラボディに対する制限も発生してしまうため、使用できる交換レンズとカメラボディの組み合わせが制限されることになり、好ましくない。
【０００７】
そこで、本発明の例示的な目的は、ズーミングまたはフォーカシング操作により、最も撮像面寄りのレンズ群が光軸方向に進退するレンズ鏡筒と、該レンズ鏡筒とカメラボディの間に装着され、該レンズ鏡筒取り付け基準面に対して、被写体寄りに突出している光学系を有するテレコンバータ、とを有するカメラシステムにおいて、カメラボディとの互換性を維持しつつも、テレコンバータ非対応レンズに対しての、テレコンバータ装着を確実に防止したレンズ鏡筒を提供することにある。
【課題を解決するための手段】
【０００８】
上記目的を達成するために、本発明のレンズ鏡筒では、ズーミングまたはフォーカシング操作により、最も撮像面寄りのレンズ群が光軸方向に進退するレンズ鏡筒と、該レンズ鏡筒とカメラボディの間に装着され、該レンズ鏡筒取り付け基準面に対して、被写体寄りに突出している光学系を有する中間アダプタ、とを有するカメラシステムにおいて、該レンズ鏡筒の撮像面側カバー部材の開口形状は略矩形形状であり、その対角長は、該中間アダプタの突出部の直径よりも長く、且つ該略矩形形状の長辺または短辺の長さは、該突出部の直径よりも短いことを特徴とする。
【０００９】
また、該略矩形形状は、取り付けられるカメラボディの最大撮像素子サイズに最適化されており、該撮像素子に入射する有害光の遮光を兼ねていることを特徴とする。
【００１０】
本発明の更なる目的又はその他の特徴は、以下、添付の図面を参照して説明される好ましい実施例等によって明らかにされるであろう。
【発明の効果】
【００１１】
本発明によれば、ズーミングまたはフォーカシング操作により、最も撮像面寄りのレンズ群が光軸方向に進退するレンズ鏡筒と、該レンズ鏡筒とカメラボディの間に装着され、該レンズ鏡筒取り付け基準面に対して、被写体寄りに突出している光学系を有する中間アダプタ、とを有するカメラシステムにおいて、該レンズ鏡筒の撮像面側カバー部材の開口形状は略矩形形状であり、その対角長は、該中間アダプタの突出部の直径よりも長く、且つ該略矩形形状の長辺または短辺の長さは、該突出部の直径よりも短いことを特徴とすることにより、中間アダプタ非対応のレンズ鏡筒に対して、中間アダプタを取り付けようとした際に、中間アダプタ側のレンズ保持枠と、レンズ鏡筒側のカバー部材が干渉するので、誤装着を確実に防止することが可能なレンズ鏡筒を提供することが可能となる。
【００１２】
また、該略矩形形状は、取り付けられるカメラボディの最大撮像素子サイズに最適化されており、該撮像素子に入射する有害光の遮光を兼ねていることを特徴とすることにより、開口形状を、撮像素子の一般的な形状である長方形で、且つ撮像素子サイズ等を考慮した大きさとすることにより、不必要な長辺および短辺の光線をカットできるので、一般的にゴーストやフレアと呼ばれるような、像に対して悪影響を及ぼす現象を抑制することが可能なレンズ鏡筒を提供することが可能となる。
【発明を実施するための最良の形態】
【００１３】
以下に、本発明の実施の形態を添付の図面に基づいて詳細に説明する。
【実施例１】
【００１４】
図１は、本発明の第１の実施例である光学機器であるところの、一眼レフカメラ用交換レンズの断面図で長焦点距離状態（以下TELE状態）である。図２は、図１の交換レンズとカメラボディの間に取り付けられるアクセサリである中間アダプタの外観図である。図３は、図１の交換レンズの右側面図で、後端部の開口形状を示している。図４は図１の交換レンズをズーム動作をおこない短焦点距離状態（以下WIDE状態）にしたときの断面図である。
【００１５】
まず、図１、図３、図４に基づいて本レンズ鏡筒の構成について説明する。
【００１６】
本レンズ鏡筒は焦点距離範囲が24ｍｍ〜105ｍｍのズームレンズであり、ズーム操作環１を回転させることでカム環２を案内筒３（固定部を構成している部品）に対して定位置回転させ焦点距離が変化する。L１〜L7はそれぞれレンズ群を表し、各群はそれぞれ同一の鏡筒に固定され、それぞれ下記に示す様に移動する。
【００１７】
Ｌ１の１群は１群鏡筒４に保持され、１群鏡筒４はフィルター枠５に不図示のビスで一体化されている。フィルター枠５は直進筒６に不図示のビスで固定されており、案内筒３に設けてある直進溝とカム環２に設けてあるカム溝に、直進筒６に一体的に固定された直進カムフォロワ７が入り込むことで、カム環２の回転に伴いWIDE状態からTELE状態に焦点距離が光軸方向前側に繰り出すことで変化する。尚、1群鏡筒４とフィルター枠５間はビスで固定される前に位置調整ができる構成となっている。
【００１８】
Ｌ２の２群は、２群鏡筒８に保持され、２群鏡筒８の外周部にはカムフォロワ部（不図示）と、キー連動部（不図示）が形成されており各々、フォーカスカム環９の内周のカム９a、フォーカスユニット１０内のフォーカスキー（不図示）と嵌合摺動し、フォーカスユニット１０の出力としてフォーカスキーが回転した際に連動して前述のカム９aとカムフォロワ部の関係から回転しながら光軸方向に移動する。本レンズ鏡筒はインナーフォーカスレンズであり、焦点距離によって焦点調節の為の2群L2の繰り出し量が異なる構成となっている。つまり、焦点距離によって、フォーカスカム９aの使用位置を変えることで上記構成を成り立たせている。フォーカスカム環９は２群L2の位置を補正する為に、カム環２の光軸方向の連動溝と、案内筒３に設けられている補正カムに、フォーカスカム環９と一体になっているカムフォロワが摺動することでカム環２と一緒に回転しながら、光軸方向に進退し、フォーカスカム９aの使用位置を焦点距離によって変化させてもピント位置ずれをさせない位置にL2を移動できる様に構成されている。
【００１９】
Ｌ３の3群は3群鏡筒１１に保持されており、3群鏡筒１１の前側（被写体側）には副絞りユニット１２が固定されている。L4の4群は4群鏡筒１３に保持されており本レンズ鏡筒の開口径を決める絞りユニット１４が前側に固定され、後側（像面側）に等分に3本の接続部が延びており、その先端には7群鏡筒１５が不図示のビスにより固定されている。また、4群鏡筒１３の前側端面には3群鏡筒１１が固定され、外周面には等分に3箇所のカムフォロワが一体的に固定されている。このカムフォロワは、カム環２に設けられているカム溝、案内筒３に設けられている直進溝に摺動し、L3、L4、L7の3つの群はカム環の回転に伴って一体的に移動する。
【００２０】
Ｌ５はシフト群であり、防振ユニット１６を構成している鏡筒に保持され、光軸垂直面上を自由に防振ユニット１６の内部の駆動手段によって移動（シフト）可能に保持されている。また、防振ユニット１６内の固定部の後側（像面側）には６群鏡筒１６aが3本のビス（不図示）によって固定されている。防振ユニット１６の外周部にはカムフォロワが3箇所固定され、それぞれカム環２のカム溝、案内筒３の直進溝に摺動し、L5、L6の2つの群は光軸方向にはカム環の回転に伴って一体的に移動する。尚、防振ユニット１６の内部構成及び詳細な制御に関しては、公知である為、本実施形態に置いての詳細な説明は省略する。
【００２１】
Ｌ７の7群は7群鏡筒１５によって保持されており、前述したとおり3群鏡筒１１の接続部後端に固定されている。
【００２２】
以上の光学系の構成のレンズ鏡筒は、撮影者がズーム操作環１を回転させることで不図示の連動キーにより、カム環２が一緒に回転し、光軸方向に進退する。カム環２は案内筒３とバヨネット結合しており、案内筒に対して定位置回転する。案内筒３は、本レンズ鏡筒における固定部であり、固定継筒１７、外装環１８、カメラに装着する為のマウント１９と一体的に固定されている。２０はウラブタであり、レンズ鏡筒内の内面反射を防止するとともに、後述する実装基板２１などのレンズ鏡筒内の部品に直接触れられないように保護するカバー部材としての役割ももっている。また図３に示すように、中心の開口部の形状は、本来光線有効径を考えると図中破線で示しているようなφＢの円形状となるが、一般的に、カメラボディに設けられる撮像素子の形状は、長辺：短辺が４：３または３：２等の長方形であることから、対角長Ｂ、短辺長Ｅ、長辺長Ｆからなる矩形形状となっている。またこの矩形形状は、レンズ鏡筒内での光線の内面反射等による有害光が撮像素子に到達しないよう遮光するように構成されている。２２はシーリングゴムであり、マウント１９が本レンズ鏡筒がカメラに装着される際に、カメラと当接し、マウント付近の防水防滴性能を発揮できる様に構成されている。また、２３はカメラ側との通信を行う接点ブロックであり、レンズ鏡筒の制御を行うCPUが実装されている実装基板２１と不図示のFPCで接続されている。
【００２３】
１０は、所謂超音波モーターで構成されたフォーカスユニットであり、案内筒３に固定されている。フォーカスユニット１０の固定部の先端付近には固定筒２４が固定され、固定筒２４とフォーカスユニット１０の間のスペースに振動検知手段である振動ジャイロ（不図示）が2個周囲を囲まれるように保持されている。このような配置により騒音等の外乱の影響を排除している。尚、この振動ジャイロは不図示のFPCで実装基板２１と接続されている。固定筒２４と固定継筒１７の前側端面の間にはフォーカスリング２５が配置され、フォーカスリング２５の後端部は、フォーカスユニット１０内の連結部に嵌合しており、フォーカスリング２５を回転させることで、前述のフォーカスキーを回転させ２群L2を光軸方向に進退させマニュアルフォーカスが行えるようになっている。フォーカスリング２５の内周部には全周溝２５ａがあり、そこに周上３箇所設けられているコロ（不図示）が嵌合摺動することで光軸方向に規制されている。3箇所のコロはビス（不図示）によって固定筒２４に固定されている。
【００２４】
２６及び２７は、操作ゴムで、それぞれフォーカスリング２５、ズームリング１の溝に入り込み、操作環向上を図っている。また、２８は距離目盛が印刷されているシートであり、フォーカスキーが固定されている回転環上に固定され、固定継筒１７の上に配置された窓を通して撮影者が確認できる。
【００２５】
次に図２の中間アダプタであるところのテレコンバータについて説明する。
【００２６】
２８はカメラボディに装着する為のマウントで、カメラボディに設けられたバヨネット爪と係合するバヨネット爪が設けられている。２９はシーリングゴムで、レンズ鏡筒側に設けられているシーリングゴム２２と同機能を有し、本テレコンバータがカメラに装着される際に、カメラと当接し、マウント２８付近の防水防滴性能を発揮できる様に構成されている。３０は固定筒で、マウント２８が不図示のビスで固定されており、外装としての役割も果たしている。また、被写体側先端がレンズ鏡筒の取り付け基準面になっていると同時に、内側にカメラボディに設けられているバヨネット爪と同一のバヨネット爪（不図示）が設けられており、レンズ鏡筒のマウント１９に設けられているバヨネット爪と係合する。３１はレンズ鏡筒の取り付け保持をおこなうロックピン３２によるロックを解除するためのロック解除レバーである。３３は取り付け指標で、カメラボディ側に設けられている取り付け指標と位相を合わせてから、所定角度相対回転させることにより、バヨネット爪同士が係合し装着状態となる。３４はレンズ保持枠で、不図示の光学系を保持しており、レンズ鏡筒の取り付け基準面から直径φＡでレンズ鏡筒側へＣだけ突出している。
【００２７】
次に、レンズ鏡筒に対する、テレコンバータの取り付け時に関して説明する。
【００２８】
仮にレンズ鏡筒のウラブタ２０の開口部形状が、図3に破線で示すφＢの円形状で、テレコンバータのレンズ保持枠３４φＡとの関係が、φＡ＜φＢだった場合、レンズ鏡筒が図４のＷＩＤＥ状態の場合には、レンズ群Ｌ７がマウント１９の基準面に対して像面側に突出しているので、テレコンバータを装着しようとすると、φＡの突出部が、開口部φＢを通過し、レンズ群Ｌ７と干渉して取り付けることは不可能であり、実際に干渉すれば破損のおそれがあるが、上述したようにレンズ群Ｌ７がマウント１９の基準面に対して像面側に突出しているので、この場合には外観上で装着可否の判断がつきやすい。しかし、レンズ鏡筒が図１のＴＥＬＥ状態の場合には、レンズ群Ｌ７がマウント１９の基準面に対して、物体側にＤの位置にいるため、テレコンバータのレンズ保持枠３４の突出量Ｃとの関係が、Ｄ＞Ｃの場合には、φＡの突出部が、開口部φＢを通過し、レンズ鏡筒に対してテレコンバータを装着可能となってしまう。このような装着状態で、ズームリング１が操作され、図１のＴＥＬＥ状態から図４のＷＩＤＥ状態にレンズ群が移動するとレンズ群Ｌ７がレンズ保持枠３４と干渉し、キズがついたり破損したりするため、誤装着を防止する必要がある。そこで、本実施例では、ウラブタ２０の開口部形状を図3にて実線で示す対角長Ｂ、短辺長Ｅ、長辺長Ｆの矩形形状で、レンズ保持枠φＡとの関係が、Ｂ＞φＡ＞Ｆ＞Ｅ、となっているので、テレコンバータをレンズ鏡筒に取り付けようとしても、レンズ保持枠とウラブタが干渉することで誤装着を防止し、内部のレンズ群Ｌ７に影響を及ぼすこともない。
【図面の簡単な説明】
【００２９】
【図１】本発明の実施例である一眼レフカメラ用交換レンズのTELE状態を示す断面図である。
【図２】交換レンズとカメラボディの間に取り付けられるアクセサリである中間アダプタの外観図である。
【図３】図１の交換レンズの右側面図である。
【図４】本発明の実施例である一眼レフカメラ用交換レンズのWIDE状態を示す断面図である。
【符号の説明】
【００３０】
１  ズーム操作環
２  カム環
３  案内筒
４  １群鏡筒
５  フィルター枠
６  直進筒
７  直進カムフォロワ
８  ２群鏡筒
９  フォーカスカム環
９ａ  カム
１０  フォーカスユニット
１１  ３群鏡筒
１２  副絞りユニット
１３  ４群鏡筒
１４  絞りユニット
１５  ７群鏡筒
１６  防振ユニット
１６ａ  ６群鏡筒
１７  固定継筒
１８  外装環
１９  マウント
２０  ウラブタ
２１  実装基板
２２  シーリングゴム
２３  接点ブロック
２４  固定筒
２５  フォーカスリング
２５ａ  全周溝
２６  フォーカスリングゴム
２７  ズームリングゴム
２８  マウント
２９  シーリングゴム
３０  固定筒
３１  ロック解除レバー
３２  ロックピン
３３  取り付け指標
３４  レンズ保持枠
【図１】
2007025350.tif 000003
【図２】
2007025350.tif 000004
【図３】
2007025350.tif 000005
【図４】
2007025350.tif 000006